(57)【要約】  【課題】  仮想キーのワンタッチ操作により、局線を捕捉、または局線を捕捉して相手番号を自動ダイヤル発信が可能な操作性に優れた構内交換システムを提供する。  【解決手段】  複数の仮想キーを備えた内線電話機（多機能電話機ＭＦＴ）と、仮想キーによる局線発信を実行するために必要な、内線番号に対応した仮想キー番号、仮想キーホットライン識別子、発信規制クラスなどから構成される局線釦構成テーブルを格納する記憶装置４、局線釦構成テーブルを検索し、局線捕捉、または局線捕捉後の特定電話番号の自動ダイヤル発信を制御する制御装置３、通話路スイッチ５を有する構内交換機２と、を備える。【選択図】  図１
2005130385.tif 000002
【特許請求の範囲】
【請求項１】
複数の電話番号を対応するランプ付き仮想キーに割付けた内線電話機と、局線からの複数の電話番号に対応した着信呼を１本の内線を介して前記内線電話機に着信させる構内交換機と、からなる構内交換システムにおいて、
前記構内交換機は、内線番号に対応した仮想キー番号、発信規制クラスを格納した局線釦構成テーブルを有する記憶装置と、前記内線電話機の局線発信時に、前記記憶装置の局線釦構成テーブルを検索して識別し、局線の捕捉を制御する制御装置と、を備えたことを特徴とする構内交換システム。
【請求項２】
前記記憶装置は、局線釦構成テーブルに、仮想キー番号に対応した特定電話番号の局線出力を実行する仮想キー・ホットライン識別子を備え、局線捕捉後に特定電話番号をダイヤル発信することを特徴とする請求項１記載の構内交換システム。
【請求項３】
前記制御装置は、前記内線電話機からの設定に基づいて局線捕捉または仮想キー・ホットラインを選択することを特徴とする請求項２記載の構内交換システム。
【請求項４】
前記制御装置は、仮想キー・ホットラインを選択した場合には、前記記憶装置の局線釦構成テーブルに設定された発信規制クラスをスキップすることを特徴とする請求項１記載の構内交換システム。
【発明の詳細な説明】
【技術分野】
【０００１】
本発明は１台の内線電話機に複数の電話番号を設定し、局線からの複数の電話番号に対応した着信呼を内線電話機に着信させる構内交換システムに係り、特に、ダイヤル発信時に、複数の電話番号を設定した仮想キー操作により、局線捕捉、または局線捕捉して相手番号をダイヤル発信する仮想キー・ホットラインが可能な構内交換システムに関する。
【背景技術】
【０００２】
従来の構内交換システムは、内線電話機には、１台毎に電話番号（例えば、ダイヤルイン番号）が設定可能であり、局線着信に対して設定された電話番号（例えば、ダイヤルイン番号）の内線電話機に構内交換機から着信させるように構成されている。
【０００３】
また、従来の構内交換システムには、秘書電話機のように、１台の内線電話機を複数の人が使用し、あたかも個々人の専用電話機のように、複数の電話番号（例えば、ダイヤルイン番号）を対応するランプ付きキー（仮想キーと呼称する）に設定し、局線からの着信も電話番号（例えば、ダイヤルイン番号）に対応した仮想キーのランプ表示により、着信に応答する人が識別できるように構成されているものが知られている。
【０００４】
このように、仮想キーと使用者を対応付けた内線電話機は、複数の使用者が共用して使用でき、仮想キーを操作することにより、局線着信および局線発信があたかも個人専用の内線電話機であるように使用でき、内線電話機の設置台数を少なくしても、使用者に大きな違和感を与えることがなく、経済的なメリットがある。
【０００５】
さらに、従来の構内交換システムには、本願出願人が「特許文献１」（自動電話交換方式）で開示したように、構内交換機に仮想端末回路を設け、内線電話機における呼の発着信に電鍵・ランプ盤（仮想キーに相当）を操作し、内線電話機が通話中であっても着信を受け付けたり、着信中であってもダイヤル発信が可能となるものが知られている。
【特許文献１】特公平３−１１７０８号公報
【発明の開示】
【発明が解決しようとする課題】
【０００６】
従来の構内交換システムは、内線電話機に電話番号（例えば、ダイヤルイン番号）が設定された仮想キーを有し、使用者が割当てられた仮想キーを操作して局線発信する場合には、オフフック→仮想キー操作→内線ダイヤルトーン確認→特番（例えば、「０」ダイヤルキー）操作→局線ダイヤルトーン確認→相手番号操作の手順を実行しなければならず、操作性が低下する課題がある。
【０００７】
また、内線電話機からダイヤル発信する場合、局線や専用線の回線の違いにより、回線補足のために特番（例えば、局線の特番「０」、専用線の特番「９」など）を操作しなければならず、回線の種類が多い場合には、誤ダイヤルを発生するケースもある。
【０００８】
さらに、ダイヤル操作と内線ダイヤルトーン確認や局線ダイヤルトーン確認をしなければならず、所望の相手に接続するために時間を要し、時間がキーとなる株等の売買の顧客やディーラにとって、致命的な欠点となる虞もある。
【０００９】
この発明はこのような課題を解決するためになされたもので、その目的は仮想キーのワンタッチ操作により、局線を捕捉、または局線を捕捉して相手番号を自動ダイヤル発信が可能な操作性に優れた構内交換システムを提供することにある。
【課題を解決するための手段】
【００１０】
前記課題を解決するためこの発明に係る構内交換システムは、複数の電話番号を対応するランプ付き仮想キーに割付けた内線電話機と、局線からの複数の電話番号に対応した着信呼を１本の内線を介して内線電話機に着信させる構内交換機とからなる構内交換システムにおいて、構内交換機は、内線番号に対応した仮想キー番号、発信規制クラスを格納した局線釦構成テーブルを有する記憶装置と、内線電話機の局線発信時に、記憶装置の局線釦構成テーブルを検索して識別し、局線の捕捉を制御する制御装置とを備えたことを特徴とする。
【００１１】
この発明に係る構内交換機は、内線番号に対応した仮想キー番号、発信規制クラスを格納した局線釦構成テーブルを有する記憶装置と、内線電話機の局線発信時に、記憶装置の局線釦構成テーブルを検索して識別し、局線の捕捉を制御する制御装置とを備えたので、内線電話機の仮想キーをワンタッチ操作するだけで局線を補足することができる。
【００１２】
また、この発明に係る記憶装置は、局線釦構成テーブルに、特定電話番号の局線出力を実行する仮想キー・ホットライン識別子を備え、局線捕捉後に特定電話番号をダイヤル発信することを特徴とする。
【００１３】
この発明に係る記憶装置は、局線釦構成テーブルに、特定電話番号の局線出力を実行する仮想キー・ホットライン識別子を備え、局線捕捉後に特定電話番号をダイヤル発信するので、内線電話機の仮想キーをワンタッチ操作するだけで、局線の特定相手と接続する仮想キー・ホットラインを形成することができる。
【００１４】
さらに、この発明に係る制御装置は、内線電話機からの設定に基づいて局線捕捉または仮想キー・ホットラインを選択することを特徴とする。
【００１５】
この発明に係る制御装置は、内線電話機からの設定に基づいて局線捕捉または仮想キー・ホットラインを選択するので、局線捕捉して任意の相手にダイヤル発信する場合、または局線捕捉して特定の相手に仮想キー・ホットラインを形成する場合の選択の幅を広めることができる。
【００１６】
また、この発明に係る制御装置は、仮想キー・ホットラインを選択した場合には、記憶装置の局線釦構成テーブルに設定された発信規制情報をスキップすることを特徴とする。
【００１７】
この発明に係る制御装置は、仮想キー・ホットラインを選択した場合には、記憶装置の局線釦構成テーブルに設定された発信規制情報をスキップするので、発信規制を除外して国内および海外のあらゆる地域と仮想キー・ホットラインを形成することができる。
【発明の効果】
【００１８】
この発明に係る構内交換機は、内線番号に対応した仮想キー番号、発信規制クラスを格納した局線釦構成テーブルを有する記憶装置と、内線電話機の局線発信時に、記憶装置の局線釦構成テーブルを検索して識別し、局線の捕捉を制御する制御装置とを備えたので、内線電話機の仮想キーをワンタッチ操作するだけで局線を補足することができ、内線電話機の操作性を向上し、利便性を高めることができる。
【００１９】
また、この発明に係る記憶装置は、局線釦構成テーブルに、特定電話番号の局線出力を実行する仮想キー・ホットライン識別子を備え、局線捕捉後に特定電話番号をダイヤル発信するので、内線電話機の仮想キーをワンタッチ操作するだけで、局線の特定相手と接続する仮想キー・ホットラインを形成することができ、内線電話機の操作性ならびに利便性を一層向上することができる。
【００２０】
さらに、この発明に係る制御装置は、内線電話機からの設定に基づいて局線捕捉または仮想キー・ホットラインを選択するので、局線捕捉して任意の相手にダイヤル発信する場合、または局線捕捉して特定の相手に仮想キー・ホットラインを形成する場合の選択の幅を広めることができ、使い勝手の良さをアピールすることができる。
【００２１】
また、この発明に係る制御装置は、仮想キー・ホットラインを選択した場合には、記憶装置の局線釦構成テーブルに設定された発信規制情報をスキップするので、発信規制を除外して国内および海外のあらゆる地域と仮想キー・ホットラインを形成することができ、仮想キー・ホットラインのグローバル化を実現することができる。
【発明を実施するための最良の形態】
【００２２】
以下、この発明の実施の形態を添付図面に基づいて説明する。なお、本発明は内線電話機の仮想キーのワンタッチ操作によって局線捕捉を実行した後、ダイヤルボタンを操作または短縮ダイヤルボタンを操作して局線ダイヤル発信を実行する形態、および局線捕捉に続く自動局線ダイヤル発信までの仮想キー・ホットラインを実行する形態のものである。
【００２３】
図１はこの発明に係る構内交換システムの実施の形態基本構成図である。図１において、構内交換システム１は、証券会社などに設置された構内交換機２と、構内交換機２の内線トランクＴI1〜ＴInを介して内線ＬI1〜ＬInに接続されたディーリングルームのディーラが使用する内線電話機を構成する多機能電話機ＭＦＴ１〜ＭＦＴｎとから構築する。また、構内交換機２の外線トランクＴR1〜ＴRkには、局線Ｌ1〜Ｌｋを介して顧客の加入電話機が収容される公衆網ＮＴが接続される。
【００２４】
構内交換機２は、制御バスＢＵＳに接続される制御装置３、記憶装置４、通話路スイッチ５と、制御バスＢＵＳおよび通話路スイッチ５に接続される内線トランクＴI1〜ＴInおよび外線トランクＴR1〜ＴRkを備える。
【００２５】
制御装置３は、マイクロプロセッサを基本に構成し、各種処理機能、演算機能を備え、内部バスＢＵを介して内線トランクＴI1〜ＴIn、外線トランクＴR1〜ＴRk、記憶装置４および通話路スイッチ５を制御することにより、構内交換機２全体の動作を制御する。
【００２６】
制御装置３は、通話路スイッチ５を制御し、内線トランクＴI1〜ＴIn相互間の通話路を形成することによって内線電話機を構成する多機能電話機ＭＦＴ１〜ＭＦＴｎ相互間を接続する。
【００２７】
また、制御装置３は、通話路スイッチ５を制御し、内線トランクＴI1〜ＴInと外線トランクＴR1〜ＴRk間の通話路を形成することによって多機能電話機ＭＦＴ１〜ＭＦＴｎと局線Ｌ1〜Ｌｋ（例えば、顧客）とを接続する。
【００２８】
さらに、制御装置３は、局線Ｌ１〜Ｌｋからの局線着信呼（顧客）および着信電話番号（例えば、ダイヤルイン番号）を制御バスＢＵＳを介して受け取り、内線トランクＴI1〜ＴInから着信電話番号（例えば、ダイヤルイン番号）を割当てた多機能電話機ＭＦＴ１〜ＭＦＴｎにランプ表示させるとともに、該当する多機能電話機ＭＦＴ１〜ＭＦＴｎに呼出し信号を鳴動させる制御を実行する。
【００２９】
なお、多機能電話機ＭＦＴ１〜ＭＦＴｎには、それぞれ後述する複数のランプ付き仮想キーに対応する複数の着信電話番号（例えば、ダイヤルイン番号）を割り付け、１本の内線を介して複数の局線着信呼をランプ表示できるように構成する。
【００３０】
また、制御装置３は、任意の多機能電話機ＭＦＴ１〜ＭＦＴｎから仮想キーを用いて局線ダイヤル発信がなされる場合には、記憶装置４に格納された局線釦構成テーブルを検索し、内線電話機（例えば、多機能電話機ＭＦＴ１）の内線番号に対応した仮想キー番号、発信規制クラスを識別し、通話路スイッチ５を動作させて内線電話機（例えば、多機能電話機ＭＦＴ１）が収容されている内線トランク（例えば、内線トランクＴＩ１）と空いている外線トランク（例えば、外線トランクＴR1）の通話路を形成し、外線トランク（例えば、外線トランクＴR1）に局線（例えば、局線Ｌ１）を捕捉させる制御を実行する。
【００３１】
なお、発信規制クラスとは、局線ダイヤル発信の地域を制限するもので、例えば、海外・国内の全地域ＯＫ、国内の全地域ＯＫ、市内のみＯＫのように設定する。
【００３２】
これにより、多機能電話機ＭＦＴ１をオフフックし、内線ダイヤルトーンを聴取した後に仮想キーをワンタッチ操作するだけで、局線を捕捉することができ、局線ダイヤルトーンを聴取した後に、多機能電話機ＭＦＴ１のダイヤルキーを操作または短縮ダイヤルキーを操作することによって外線ダイヤル発信を実行することができる。
【００３３】
さらに、制御装置３は、仮想キーが操作された場合に、記憶装置４に格納された局線釦構成テーブルを検索し、仮想キー番号に設定された仮想キー・ホットライン識別子の有無を判別し、仮想キー・ホットライン識別子が有る場合には、識別子に設定された特定電話番号を認識し、局線（例えば、局線Ｌ１）捕捉後に特定電話番号の自動ダイヤル発信をする仮想キー・ホットライン実行の制御をする。
【００３４】
これにより、多機能電話機ＭＦＴ１をオフフックし、内線ダイヤルトーンを聴取した後に仮想キーをワンタッチ操作するだけで、局線を捕捉した後に特定電話番号の自動ダイヤル発信をする仮想キー・ホットラインを実行することができる。
【００３５】
また、制御装置３は、記憶装置４に格納された局線釦構成テーブルに仮想キー・ホットライン識別子を判別した場合には、識別子に設定された特定電話番号を発信規制しないため、局線釦構成テーブルに発信規制クラスが設定されていても、発信規制クラスをスキップして仮想キー・ホットラインを実行する。
【００３６】
さらに、制御装置３は、内線電話機（例えば、多機能電話機ＭＦＴ１）の選択スイッチで設定した選択情報に基づいて仮想キー操作による局線発信モードの局線捕捉または仮想キー・ホットラインを選択して実行する。
【００３７】
これにより、仮想キーの局線ダイヤル発信時に、局線捕捉と仮想キー・ホットラインの選択ができ、局線捕捉して任意の番号をダイヤルキーを操作または短縮ダイヤルキーを操作してダイヤル発信したり、特定電話番号を自動でダイヤル発信することができる。
【００３８】
図２はこの発明に係る多機能電話機の一実施の形態構成図である。図２において、多機能電話機ＭＦＴは、構内交換機２に収容される内線電話機であり、ハンドセット６、「０」〜「９」、「＊」および「♯」のダイヤルキー７、複数の仮想キー番号からなるランプ付きの仮想キー８、局線捕捉または仮想キー・ホットラインを選択する選択スイッチ９、局線着信呼の電話番号、ダイヤル発信の電話番号、仮想キー・ホットラインの特定電話番号または電話機の状態を表示する表示器１０、内線着信や局線着信、保留音、オンフック発信のダイヤルトーン等の音声を出力するスピーカ１１から構成する。
【００３９】
仮想キー８は、通常ならば、１台の多機能電話機ＭＦＴに割当てられる局線着信の電話番号（例えば、ダイヤルイン番号）が１つの電話番号であるが、複数の局線着信の電話番号（例えば、ダイヤルイン番号）をそれぞれ複数の仮想キーに割当て、複数の仮想キーをあたかも複数の内線電話機に対応させたようにしながら１台の内線電話機で構成する。
【００４０】
また、仮想キー８は、各仮想キーに表示用のランプ（例えば、ＬＥＤ）を設け、局線着信呼の電話番号（例えば、ダイヤルイン番号）に対応した仮想キー番号のランプを点灯または点滅させて局線着信を表示するとともに、局線ダイヤル発信時に操作した仮想キーのランプを点灯させて局線発信を表示する。
【００４１】
選択スイッチ９は、仮想キー操作の局線ダイヤル発信による局線捕捉または仮想キー・ホットラインの局線発信モードを選択するスイッチであり、予めスイッチを設定することにより、局線捕捉または仮想キー・ホットラインを選択する。なお、ハンドセット６をオフフック状態にすると、表示器１０に設定した局線発信モードが表示される。
【００４２】
図１に戻り、記憶装置４は、ＲＡＭ、ＥＥＰＲＯＭなどの書替え可能なメモリ、ＲＯＭなどの固定メモリで構成し、仮想キーによる局線発信を実行するために必要な、内線番号に対応した仮想キー番号、仮想キー・ホットライン識別子、発信規制クラスなどのデータから構成される局線釦構成テーブルを格納し、制御装置３からの指令により、局線釦構成テーブルからデータを提供する。
【００４３】
図３はこの発明に係る局線釦構成テーブルの一実施の形態イメージ図である。図３において、局線釦構成テーブルは、内線番号、仮想キー番号、仮想キー・ホットライン識別子、発信規制クラスの各データを対応付けて格納する。
【００４４】
図１に示す多機能電話機ＭＦＴ１には、例えば内線番号「１○○」を設定し、多機能電話機ＭＦＴ２には、内線番号「２△△」を設定し、……、多機能電話機ＭＦＴｎには、内線番号「ｎ××」を設定する。
【００４５】
内線番号「１○○」、「２△△」、……、「ｎ××」には、それぞれ仮想キー番号「ＮＯ．１」、「ＮＯ．２」、……、「ＮＯ．ｎ」を割付ける。
【００４６】
また、内線番号「１○○」の仮想キー番号「ＮＯ．１」には、「仮想キー・ホットライン識別子」が有ることと特定電話番号を表す（Ｙ：○○○…○○○）と、「発信規制クラス」が海外・国内の全地域であることを表わす「Ａ」を設定する。
【００４７】
内線番号「１○○」の仮想キー番号「ＮＯ．２」には、「仮想キー・ホットライン識別子」が有ることと特定電話番号を表す（Ｙ：○○□…□□□）と、「発信規制クラス」が国内の全地域であることを表わす「Ｂ」を設定する。
【００４８】
同様に、内線番号「１○○」の仮想キー番号「ＮＯ．ｎ」には、「仮想キー・ホットライン識別子」が無いことを表す（Ｎ：−）と、「発信規制クラス」が市内のみであることを表わす「Ｃ」を設定する。
【００４９】
以下、内線番号「２△△」〜「ｎ××」の仮想キー番号「ＮＯ．１」〜「ＮＯ．ｎ」についても、それぞれ「仮想キー・ホットライン識別子」と「発信規制クラス」を設定する。
【００５０】
次に、仮想キーを使った局線ダイヤル発信の動作について説明する。図４はこの発明に係る仮想キーを用いた局線ダイヤル発信時の局線捕捉と仮想キー・ホットラインの一実施の形態要部動作フロー図である。なお、動作フローは、図１〜図３を参照して説明する。また、局線発信の一連の操作は、多機能電話機ＭＦＴ１を使って仮想キー番号「ＮＯ．１」を操作する場合を例にして説明する。
【００５１】
図４において、局線のダイヤル発信をする目的で内線電話機のハンドセットを持ち上げる（オフフック操作）と、ステップＳ１で、内線番号「１○○」を検出する。なお、ステップＳ１の動作は、構内交換機２の制御装置３が実行する。
【００５２】
続いて、内線のダイヤルトーンを確認した後に仮想キーを押下すると、ステップＳ２で、仮想キー番号「ＮＯ．１」を検出して局線釦構成テーブルを検索する。なお、ステップＳ２の動作は、構内交換機２の制御装置３が記憶装置４の局線釦構成テーブルを検索して実行する。
【００５３】
ステップＳ３では、局線釦構成テーブルに仮想キー・ホットライン識別子が有るか否かを判定し、識別子が有る場合にはステップＳ４に移行する。一方、識別子が無い場合にはステップＳ７に移行する。なお、ステップＳ３の動作は、構内交換機２の制御装置３が記憶装置４の局線釦構成テーブルを検索して仮想キー・ホットライン識別子の有無の判定を実行する。
【００５４】
ステップＳ４では、仮想キー・ホットライン識別子が有る（例えば、図３に示す内線番号が「１○○」、仮想キー番号が「ＮＯ．１」で、仮想キー・ホットライン識別子が「Ｙ：○○○…○○○」）場合、局線釦構成テーブルの発信規制クラス「Ａ」をスキップする。なお、ステップＳ４の動作は、構内交換機２の制御装置３および記憶装置４が実行する。
【００５５】
ステップＳ５では、空きの外線トランクをサーチして局線を補足する。なお、ステップＳ５の動作は、構内交換機２の制御装置３および空きの外線トランクＴR1〜ＴRkが実行する。
【００５６】
ステップＳ６では、仮想キー・ホットライン識別子（例えば、「Ｙ：○○○…○○○」）の特定電話番号「○○○…○○○」を自動ダイヤル発信する。なお、ステップＳ６の動作は、構内交換機２の制御装置３が実行する。
【００５７】
一方、ステップＳ３で仮想キー・ホットライン識別子が無い（例えば、図３に示す内線番号が「１○○」、仮想キー番号が「ＮＯ．ｎ」で、仮想キー・ホットライン識別子が「Ｎ：−」）場合、ステップＳ７では、発信規制クラス（このケースでは「Ｃ」）を認識する。なお、ステップＳ７の動作は、構内交換機２の制御装置３が記憶装置４の局線釦構成テーブルの発信規制クラス「Ｃ」を認識する。
【００５８】
ステップＳ８では、空きの外線トランクをサーチして局線を補足する。なお、ステップＳ８の動作は、構内交換機２の制御装置３および空きの外線トランクＴR1〜ＴRkが実行する。
【００５９】
局線を補足すると、局線ダイヤルトーンを確認した後、内線電話機（多機能電話機ＭＦＴ１）のダイヤルキー７を操作、または短縮キーを操作して相手番号をダイヤル操作する。
【００６０】
ステップＳ９では、ダイヤル操作した電話番号の発信規制クラスがＯＫか否かを判定し、ＯＫの場合にはダイヤル発信を実行する。一方、発信規制クラスに抵触する場合にはステップＳ１１に移行する。なお、ステップＳ９の動作は、構内交換機２の制御装置３が記憶装置４の局線釦構成テーブルの発信規制クラスから判定する。
【００６１】
ステップＳ６の自動ダイヤル後、またはステップＳ９の発信規制クラスがＯＫの場合には、局線ダイヤル発信した後に相手応答があると、ステップＳ１０に移行する。
【００６２】
ステップＳ１０では、内線電話機（多機能電話機ＭＦＴ１）と局線相手との間に通話パスを形成し、通話を開始する。なお、ステップＳ１０の動作は、構内交換機２の制御装置３および通話路スイッチ５が実行する。
【００６３】
ステップＳ１１では、発信規制がかかっていることを知らせる規制音を送出する。なお、ステップＳ１１の動作は、構内交換機２の制御装置３および内線トランクＴＩ１が実行する。
【００６４】
以上説明したように、この発明に係る構内交換機２は、内線番号に対応した仮想キー番号、発信規制クラスを格納した局線釦構成テーブルを有する記憶装置４と、内線電話機（多機能電話機ＭＦＴ）の局線発信時に、記憶装置４の局線釦構成テーブルを検索して識別し、局線Ｌ１〜Ｌｋの捕捉を制御する制御装置３とを備えたので、内線電話機（多機能電話機ＭＦＴ１）の仮想キー（仮想キー番号「ＮＯ．１」）をワンタッチ操作するだけで局線を補足することができ、内線電話機の操作性を向上し、利便性を高めることができる。
【００６５】
また、この発明に係る記憶装置４は、局線釦構成テーブルに、特定電話番号の局線出力を実行する仮想キー・ホットライン識別子を備え、局線捕捉後に特定電話番号をダイヤル発信するので、内線電話機（多機能電話機ＭＦＴ１）の仮想キー（「ＮＯ．１」）をワンタッチ操作するだけで、局線の特定相手と接続する仮想キー・ホットラインを形成することができ、内線電話機の操作性ならびに利便性を一層向上することができる。
【００６６】
さらに、この発明に係る制御装置３は、内線電話機（多機能電話機ＭＦＴ１）からの設定（選択スイッチ９）に基づいて局線捕捉または仮想キー・ホットラインを選択するので、局線捕捉して任意の相手にダイヤル発信する場合、または局線捕捉して特定の相手に仮想キー・ホットラインを形成する場合の選択の幅を広めることができ、使い勝手の良さをアピールすることができる。
【００６７】
また、この発明に係る制御装置３は、仮想キー・ホットラインを選択した場合には、記憶装置４の局線釦構成テーブルに設定された発信規制情報をスキップするので、発信規制を除外して国内および海外のあらゆる地域と仮想キー・ホットラインを形成することができ、仮想キー・ホットラインのグローバル化を実現することができる。
【００６８】
なお、本実施の形態では、仮想キーのワンタッチ操作による局線捕捉、または局線捕捉後の仮想キー・ホットラインについて説明したが、記憶装置４の局線釦構成テーブルの内容を変更することによって、仮想キーのワンタッチ操作による専用線捕捉、または専用線捕捉後の仮想キー・ホットラインを実行するように構成することができる。
【産業上の利用可能性】
【００６９】
本発明に係る構内交換システムは、内線電話機に設けた仮想キーのワンタッチ操作により、局線ダイヤル発信時に、局線補足、または局線補足後の自動ダイヤルである仮想キー・ホットラインを実行し、内線電話機の操作性ならびに利便性を一層向上することができ、内線電話機を使って局線ホットラインを構築する全ての構内交換システムに適用することができる。
【図面の簡単な説明】
【００７０】
【図１】この発明に係る構内交換システムの実施の形態基本構成図
【図２】この発明に係る多機能電話機の一実施の形態構成図
【図３】この発明に係る局線釦構成テーブルの一実施の形態イメージ図
【図４】この発明に係る仮想キーを用いた局線ダイヤル発信時の局線捕捉と仮想キー・ホットラインの一実施の形態要部動作フロー図
【符号の説明】
【００７１】
１    構内交換システム
２    構内交換機
３    制御装置
４    記憶装置
５    通話路スイッチ
６    ハンドセット
７    ダイヤルキー
８    仮想キー
９    選択スイッチ
１０    表示器
１１    スピーカ
ＴI1〜ＴIn    内線トランク
ＴR1〜ＴRk    外線トランク
ＢＵＳ    制御バス
ＬI1〜ＬIn    内線
Ｌ1〜Ｌｋ    局線
ＮＴ    公衆網
ＭＦＴ１              〜ＭＦＴｎ    多機能電話機
【図１】
2005130385.tif 000003
【図２】
2005130385.tif 000004
【図３】
2005130385.tif 000005
【図４】
2005130385.tif 000006